(57)【特許請求の範囲】
【請求項１】
建物構造面に垂設され、被支持体を支持する支持具が取着されるボルト体の中間部に取着され、前記ボルト体の垂設状態を補助するボルト体の垂設補助具であって、
補助具本体の一端側に前記ボルト体と係合する係合部を、前記補助具本体の他端側に前記ボルト体の垂設位置から離間して前記建物構造面に固定される固定部を備え、
前記係合部は、前記ボルト体に係合した状態で上部片と下部片とが該ボルト体を挟んでその軸方向に所定間隔で並置するよう設けられて、切欠開口と前記ボルト体が内部に配置される係合空間とが形成されて成り、
前記切欠開口は、前記ボルト体の軸に対して側方から移動して、前記ボルト体を前記上部片と下部片との間隙から前記係合空間内に挿入可能に形成され、
前記係合空間は、前記ボルト体を内部に配置した状態で、前記補助具本体を下方に回動して前記他端側を前記ボルト体に近接させることにより、前記上部片、下部片及びこれらを連結する連結片が各々の端面において互いに異なる方向から前記ボルト体の外周面に当接して係合し、前記ボルト体の傾動を規制するとともに前記ボルト体からの離脱を防止することを特徴とするボルト体の垂設補助具。
【請求項２】
前記係合状態において、上部片、下部片及び連結片をボルト体の軸方向に投影すると、前記ボルト体の全周を囲むよう形成されたことを特徴とする請求項１に記載のボルト体の垂設補助具。
【請求項３】
前記上部片及び下部片は、互いに相反する方向から係合部の切欠開口に延出してボルト体からの離脱を防止する離脱防止片がそれぞれに形成されたことを特徴とする請求項１または請求項２に記載のボルト体の垂設補助具。
【請求項４】
前記上部片は、その上方においてボルト体に取着された支持具との干渉を回避すべく、補助具本体の一端側を所定角度折曲して形成されたことを特徴とする請求項１乃至請求項３のいずれかに記載のボルト体の垂設補助具。
【請求項５】
前記上部片は、係合部がボルト体に係合した状態において、該ボルト体の軸に対して直交する平面に形成されたことを特徴とする請求項１乃至請求項４のいずれかに記載のボルト体の垂設補助具。
【請求項６】
前記固定部は、係合部がボルト体に係合した状態において、建物構造面に面接するよう補助具本体の他端側を折曲形成されたことを特徴とする請求項１乃至請求項５のいずれかに記載のボルト体の垂設補助具。
【請求項７】
前記補助具本体が建物構造面に対して傾斜した状態でボルト体に取着されるよう形成されたことを特徴とする請求項１乃至請求項６のいずれかに記載のボルト体の垂設補助具。
【発明の詳細な説明】
【技術分野】
【０００１】
本発明は、建物の基礎床面や天井面などの建物構造面に垂設されて流体管継手、水栓継手や床材などの被支持体を支持する支持具が取着されるボルト体に対し、その中間部に取着されて前記ボルト体が垂設状態に維持されるのを補助するボルト体の垂設補助具に関するものである。
【背景技術】
【０００２】
従来より、洗面台、台所流し台、トイレ等における水栓の取付けは、床下からの配管の途中に水栓継手を取付け、仕上床の床貼りを行なった後、前記水栓継手に直管を接続することによって行なっている。前記水栓継手はこれを支持する支持具によって建物構造面である基礎床面上に支持されている。この水栓継手の支持具としては、例えば、特開平９−４７６６号公報に掲載されたものが使用されており、これを図１０及び図１１に示す。
【０００３】
図１０及び図１１において、基礎床面４１上の配管が仕上床４２上に立上がる箇所では内部を流体管が挿通する鞘管４３と仕上床４２上の直管４４とが水栓継手４５を介して接続されており、前記水栓継手４５は支持具３１に支持され、更にこの支持具３１は基礎床面４１に固定されたボルト体２１の上部に取付けられている。前記支持具３１は支持具本体３２の内部に図示しない調整スリーブを介して前記水栓継手４５を収容し、外周面の雄ねじ部には固定リング３４が螺着されて前記水栓継手４５を抜止め固定している。また、この支持具本体３２の下端部には前記鞘管４３を接続するための止め具３７が取付けられている。そして、この支持具３１はその中間部の両側に水平方向に突出する鍔部３５に設けられた挿通孔３６が前記ボルト体２１に外嵌し、上下をナット２５で挟持されることによって基礎床面４１から所定高さに取付けられるようになっている。ここで、前記ボルト体２１は下端部が固定ねじ２２を使用して基礎床面４１に固定された固定座金２３のウェルドナット２４に螺着されることによって前記基礎床面４１に垂設されている。
【０００４】
ところで、前記ボルト体２１は基礎床面４１に固定ねじ２２及び固定座金２３を介して垂設状態に固定されているが、下端部のみが基礎床面４１に固定されているのであるから、仕上床４２上の直管４４を水栓継手４５に接続するときなどで、支持具３１にその中心線を軸に水平方向に捩りが生ずることがあり、また、上方の直管４４等に側方の外力が加わることによって前記支持具３１に側方の押圧力が生ずることがあるなど、支持具３１には各種の外力が作用する。その外力は、更に、鍔部３５を介してボルト体２１にも影響を及ぼし、水平方向に押圧する。特に、基礎床面４１と仕上床４２との間隔が大きい場合には、該ボルト体２１の上部を押圧する力によってボルト体２１の下端部を中心とした水平方向のモーメントが大となり、ボルト体２１は下端部を中心に傾斜し易い状態となる。ボルト体２１が傾斜すると、安定した保持が損なわれ、支持具３１や直管４４における接続部に無理な負担が加わり、この部分の配管部材が損傷したり、水密性が損なわれたりすることともなる。
【０００５】
そこで、ボルト体２１が傾斜するのを防いで基礎床面４１上に安定した垂設状態を確保すべく、前記特開平９−４７６６号公報には掲載されていないが、図１０及び図１１に示すように、補助具５１が使用されることがある。この補助具５１は細長の金属板材の両端部を所定角度折曲して、一端側にはボルト体２１が挿通してナット２６を介して該ボルト体２１の中間部に取着するための挿通孔５２が設けられ、他端側には基礎床面４１に固定ねじ５３を介して固定するための固定孔５４が設けられている。この補助具５１は傾斜し易い、細長の固定座金２３の幅方向に、ボルト体２１の垂設位置から所定距離離間して基礎床面４１に固定され、反対側の一端側に設けられている挿通孔５２は上方からボルト体２１に外嵌し、所定高さにおいて上下にナット２６を締付けて固定している。これにより、ボルト体２１の垂設状態を補助、補強し、安定した垂直姿勢を維持している。
【０００６】
ここで、前記補助具５１の取着においては、挿通孔５２の上下にナット２６を装着する必要がある。何故なら、前記補助具５１の端部に設けられている挿通孔５２は、補助具５１の取着時に、ボルト体２１の上端部に外嵌し、軸に沿って円滑に所定位置まで降下させるため、内径はボルト体２１の外径より僅かに大きく形成されている。このため、補助具５１の挿通孔５２をボルト体２１に単に外嵌しただけでは、ボルト体２１との間に内外径の差の分だけのがたつきを生じ、取着後に支持具３１等を介してボルト体２１に水平方向の外力や振動が繰返し加わると、それが下端部の垂設箇所に伝わり、ボルト体２１を垂設している固定ねじ２２が緩んで固定座金２３にがたつきを生ずることとなり、支持具３１の安定な保持が困難となるからである。
【特許文献１】特開平９−４７６６号公報
【発明の開示】
【発明が解決しようとする課題】
【０００７】
しかし、従来の補助具５１は、挿通孔５２を上方からボルト体２１に外嵌し、更に、上下からナット２６を締付けることによって前記ボルト体２１の中間部に取着するものであるから、水栓取付工事の際のボルト体２１への取着においては、下方のナット２６、補助具５１の挿通孔５２、上方のナット２６の順に上方からボルト体２１に外嵌し、前記ボルト体２１の軸に沿って所定高さまで降下させ、次いで、前記上下のナット２６を締付けて補助具５１の一端側を挟持、固定しなければならず、面倒な作業となっていた。そして、高さ調整を行なうときは、一旦ナット２６を緩めて締め直す操作が必要であった。
【０００８】
また、その後の状況により、或いは、取着忘れなどのため、水栓工事完了後に、補助具５１を取着したり、増設することが必要となったときには、一旦、直管４４、水栓継手４５を取外し、ボルト体２１から支持具３１を取外し、補助具５１を取着した後、再度、支持具３１、水栓継手４５、直管４４を取付けなければならず、大変面倒な作業を強いられることとなり、作業時間も手間も多大なものとなっていた。
【０００９】
そこで、本発明は、被支持体の支持具が取着されるボルト体の中間部に簡単に取着して前記ボルト体の垂設状態を補助できるボルト体の垂設補助具の提供を課題とするものである。
【課題を解決するための手段】
【００１０】
請求項１のボルト体の垂設補助具は、建物構造面に垂設され、被支持体を支持する支持具が取着されるボルト体の中間部に取着され、前記ボルト体の垂設状態を補助するものであって、補助具本体の一端側に前記ボルト体と係合する係合部を備え、前記補助具本体の他端側に前記ボルト体の垂設位置から離間して前記建物構造面に固定される固定部を備えている。前記係合部は、前記ボルト体に係合した状態で上部片と下部片とが該ボルト体を挟んでその軸方向に所定間隔で並置するよう設けられて、切欠形成されて成る、即ち、切欠開口と前記ボルト体が内部に配置される係合空間とが形成されて成る。更に、前記切欠開口は、前記ボルト体の軸に対して側方から移動して、前記ボルト体を前記上部片と下部片との間隙から前記係合空間内に挿入できるように形成されている。そして、前記係合空間は、前記ボルト体を内部に配置した状態で、前記補助具本体を下方に回動して前記他端側を前記ボルト体に近接させることにより、前記上部片、下部片及びこれらを連結する連結片が各々の端面において互いに異なる方向から前記ボルト体の外周面に当接して係合し、前記ボルト体の傾動を規制するとともに前記ボルト体からの離脱を防止するものとなっている。
【００１１】
分説すると、まず、この垂設補助具は、基礎床面などの建物構造面に垂設されたボルト体が一端の固定箇所を中心に他端が傾斜し、振れるのを防いで一定の垂設状態を維持すべく補助、補強するものであり、建物構造面とボルト体と垂設補助具とで三角構造が形成される。前記ボルト体の中間部には流体管継手、水栓継手、床材等の被支持具を支持する支持具が取着される。ここで、中間部とは高さ方向における中央のみを意味するのではなく、上下端部を除いた範囲の長さ部分を意味する。前記ボルト体は、一般には、固定ねじを使用して建物構造面に固着された固定座金に螺着して垂設することができるが、これに限られるものではない。
【００１２】
垂設補助具は、矩形板状に形成された補助具本体の一端側に前記ボルト体と係合する係合部を備え、前記補助具本体の他端側に建物構造面に固定される固定部を備えており、例えば、金属製板材をプレス加工することにより簡単かつ安価に形成できる。前記係合部は、切欠形成されて成り、切欠開口と前記ボルト体が内部に配置される係合空間とが形成されている。そして、前記係合部においては、前記ボルト体に係合した状態で上部片と下部片とが該ボルト体を挟んでその軸方向に所定間隔で並置するよう設けられている。ここで、前記上部片及び下部片は、同一平面内においてボルト体を挟んで相対向するように並置されるものではなく、後述する係合空間の構成と相俟って、上下に所定間隔を隔てて２つの平面を形成すべく並置されるものを意味する。
【００１３】
前記切欠開口は、前記ボルト体の軸に対して側方から移動して、前記ボルト体を前記所定間隔を隔てて並置された上部片と下部片との間から前記係合空間内に挿入できるよう形成されている。これにより、一端部に挿通孔が形成された従来の補助具のように、一旦ボルト体の上端に前記挿通孔を外嵌してから所定の取着位置まで降下させる作業を行なうことなく、単に、ボルト体への取着高さにおいて側方から移動するだけで簡単に垂設補助具を取着することが可能である。
【００１４】
次に、係合空間は、その内部に前記ボルト体を配置してから、補助具本体を下方に回動して他端側を前記ボルト体に近接させた状態で、前記上部片、下部片及びこれらの上部片と下部片とを連結する連結片が、ボルト体の全周を側方から囲うようにして、各々の端面即ち板材端部の厚さ部分に形成された面が互いに異なる方向から前記ボルト体の外周面に当接して係合するようになっている。これにより、前記ボルト体が下端の垂設位置を中心に傾動するのが規制され、同時に、垂設補助具がボルト体から離脱するのが防止される。ここで、ボルト体の外周面には前記上部片、下部片及び連結片が当接するので、一般には、少なくとも３箇所において適宜間隔に分散してボルト体の外周面に密接することになるから、ボルト体はいずれの方向に対しても傾動するのが規制され、振れが防止されるとともに、垂設補助具がボルト体から離脱するのが防止される。但し、これらの上部片、下部片及び連結片の配置設計においては、ボルト体への当接箇所が特定部分に集中して該ボルト体の傾動の規制及び離脱防止が損なわれないよう注意することが必要である。なお、ボルト体にはこのように断続的に当接すれば足りるが、全周に至って連続的に当接するものであってもよいことは言うまでもない。
【００１５】
このようにして、垂接補助具がボルト体に係合した状態においては、ボルト体の一端が建物構造面に固定されているとともに、垂設補助具の上部片、下部片及び連結片が前記ボルト体の外周面に密接して該ボルト体が水平方向のいずれに対しても傾斜し、振れるのが防止されるから、ナット等の固定具を使用することなく、ボルト体を垂設状態に安定して維持することができる。但し、ナット等の固定具の使用を妨げるものではなく、これを使用した場合には、より確実にボルト体の垂設状態を維持できる。
【００１６】
ここで、前記上部片、下部片及び連結片はそれぞれ端面がボルト体の外周面と当接するので、前記各片の端縁部がボルト体のねじ凹部内に嵌入し、食い込んで軸方向への移動が阻害されるのが回避され、該ボルト体の外周面を自由に摺動できることとなる。これにより、高さ調整を円滑かつ楽に行なうことができ、また、前記各片の端縁部がボルト体のねじ凹部内に食い込んでねじ山を潰したりするのが防止される。
【００１７】
また、垂設補助具は、補助具本体の固定部側を上方に僅かに回動すれば、各片の端面がボルト体から離間し、該ボルト体との当接、係合が解除されるので、これによって自由に移動させることもでき、取着高さを調整できる。
【００１８】
請求項２のボルト体の垂設補助具は、係合状態において、上部片、下部片及び連結片をボルト体の軸方向に投影すると、前記ボルト体の全周を囲むよう形成されている。なお、ボルト体には、請求項１に記載したように、断続的、連続的に当接する。
【００１９】
請求項３のボルト体の垂設補助具は、上部片及び下部片のそれぞれに、互いに相反する方向から係合部の切欠開口に延出してボルト体からの離脱を防止する離脱防止片が形成されている。前記離脱防止片は上部片及び下部片の一部を延出して該上部片及び下部片に一体に形成することができる。
【００２０】
請求項４のボルト体の垂設補助具は、上部片が、その上方においてボルト体に取着された支持具との干渉を回避すべく、補助具本体の一端側を所定角度折曲して形成されたものである。折曲角度は任意に設定し得るが、一般には、請求項５に合わせて、係合時に上部片がボルト体の軸に直交するような角度に折曲するのがよい。
【００２１】
請求項５のボルト体の垂設補助具は、上部片が、ボルト体に係合した状態において、該ボルト体の軸に対して直交する平面に形成されたものであり、補助具本体の一端側を折曲することによって形成できる。これにより、ボルト体における上部片の上面にナットを装着することも可能となる。
【００２２】
請求項６のボルト体の垂設補助具は、係合部がボルト体に係合した状態において、固定部が建物構造面に面接するよう形成されており、具体的には、補助具本体の他端側を折曲形成して建物構造面に平行する平面などに形成されている。
【００２３】
請求項７のボルト体の垂設補助具は、補助具本体が建物構造面に対して傾斜した状態でボルト体に取着されるよう形成されている。即ち、ボルト体と建物構造面の固定面と補助具本体とによって三角構造に形成されるものとなっている。
【発明の効果】
【００２４】
請求項１のボルト体の垂設補助具は、切欠開口を通して係合空間内にボルト体を挿入し、全体を回動して固定部側をボルト体に近接させるだけの操作で、上部片、下部片等の端面が互いに異なる方向からボルト体の外周面に当接し、係合するので、ナット等の固定具を使用することなく取着でき、簡単にボルト体を垂設状態に維持することができる。
【００２５】
請求項２のボルト体の垂設補助具は、上部片、下部片及び連結片をボルト体の軸方向に投影すると、前記ボルト体の全周を囲むよう形成されているので、前記各片の端面がボルト体の外周面に密接して係合し、これにより、請求項１と同様に、ボルト体の傾動を規制し、振れを防ぐことができるとともに、ボルト体からの離脱を防止できる。
【００２６】
請求項３のボルト体の垂設補助具は、上部片及び下部片のそれぞれに離脱防止片が形成されているので、ボルト体の垂設状態を補助している間に該ボルト体から外れて脱落するのを防止できる。
【００２７】
請求項４のボルト体の垂設補助具は、上部片が、その上方においてボルト体に取着された支持具との干渉を回避すべく、補助具本体の一端側を所定角度折曲して形成されているから、支持具に近接するより高い位置においてボルト体に取着して補助することが可能となり、ボルト体の傾動、振れをより確実に防止することができる。
【００２８】
請求項５のボルト体の垂設補助具は、上部片が、ボルト体に係合した状態において、該ボルト体の軸に対して直交する平面に形成されたものであるから、ボルト体における上部片の上面にナットを装着することが可能となり、より確実にボルトの垂設状態を維持することができる。
【００２９】
請求項６のボルト体の垂設補助具は、固定部が、ボルト体に係合した状態において、建物構造面に面接するよう形成されているから、垂設補助具をボルト体の軸に沿って移動して高さ調整したとき、常に、固定部は建物構造面に面接し、安定した状態で固定できる。
【００３０】
請求項７のボルト体の垂設補助具は、補助具本体が建物構造面の固定面に対して傾斜した状態でボルト体に取着されるよう形成されているから、この部分の構造が安定し、ボルト体の補強効果が高まる。
【発明を実施するための最良の形態】
【００３１】
以下、本発明の実施形態を図１乃至図８に基づいて説明する。ここで、図１及び図２は本発明の実施形態の垂設補助具を示し、図３及び図４は前記垂設補助具が取着されるボルト体及び支持具を示す。本実施形態では、水栓配管において二重床の基礎床面に垂設されたボルト体を介して水栓継手を支持する支持体を基礎床面上に設置する場合の該ボルト体に垂設補助具を取着する例を説明する。
【００３２】
図１及び図２において、補助具１は、図３及び図４に示すような、洗面台、台所流し台、トイレ等における水栓配管の支持具３１が取着されるボルト体２１の中間部に取着されて、前記ボルト体２１の垂設状態の維持を補助、補強し、各配管部材を安定状態に設置するものである。この補助具１は１枚の矩形板状の金属製板材をプレス加工することによって形成されており、補助具本体２の一端側にはボルト体２１と係合する係合部３が形成され、他端側には水栓配管される基礎床面４１に固定される固定部４が形成されている。但し、補助具１は１枚の金属製板材をプレス加工することによって形成するものに限られるものではない。
【００３３】
前記係合部３は補助具本体２の一端側をプレスにより切欠及び折曲加工することによって、切欠開口５とボルト体２１が内部に配置されて係合する係合空間６とが形成されて成る。具体的には、図２（ｂ）において、一端側が折曲部１５で水平左方向に約６０度折曲され、更に、前記係合空間６を境とした略半分が折曲部１６で本体部分と略同一角度傾斜した状態に曲げ起こされた後、折曲部１７で再び水平左方向に約６０度折曲されて上部片７が延設され、その先端部は離脱防止片８が同一平面内で延出している。また、前記折曲部１５で水平左方向に約６０度折曲された部分の略半分はそのまま平面状態で切欠開口５及び係合空間６側に延出する下部片９となっており、先端部には離脱防止片１０が同一平面で延出している。前記折曲部１６で傾斜状態に曲げ起こされた部分は前記上部片７と下部片９とを連結する連結片１１となっており、その係合空間６側の端部は、図１及び図２（ｃ）に示すように、傾斜線を描き、上方にいくに従って水平方向の幅が狭くなるように形成されている。
【００３４】
前記上部片７及び下部片９はボルト体２１との係合状態において該ボルト体２１を挟んでその軸方向、図２（ｂ）においては上下方向に所定間隔で平行した状態で並置するものとなっている。前記上部片７と下部片９との間隔は少なくともボルト体２１の直径より大きく形成され、前記ボルト体２１がその軸と平行する方向に移動して前記上部片７と下部片９との間を通過できるようになっている。なお、本実施形態においては、上部片７と下部片９との間隔はボルト体２１の軸径よりかなり大きく形成している。そして、前記上部片７の離脱防止片８及び下部片９の離脱防止片１０は相反する方向から切欠開口５に延出し、平面視で一部が重なるように形成されている。
【００３５】
このように形成された係合部３はボルト体２１に係合した状態で、上部片７、下部片９及び連結片１１を前記ボルト体２１の軸方向に投影すると、図２（ａ）及び図６に示したように、前記ボルト体２１の全周を囲むよう形成され、前記各片の端面７ａ、端面９ａ、端面１１ａがそれぞれ当接点７ｂ、当接点９ｂ、当接点１１ｂの３箇所でボルト体２１の外周面と当接するようになっている。ここで、補助具本体２の板厚ｔは所定の剛性を確保すべく２ｍｍ程度に設定されており、一方、ボルト体２１のねじピッチｐは通常１ｍｍ程度のものが用いられる。このような寸法関係にあり、上部片７、下部片９及び連結片１１の各端面がボルト体２１の外周面に当接したとき、図７（ａ）に示すように、前記上部片７等の端縁部ｃはボルト体２１のねじ凹部２１ａ内には嵌入しない。その結果、ボルト体２１の所定高さにおいて補助具１を取着するとき、係合部３における各片の端面をボルト体２１の外周面に沿って軸方向に円滑に摺動させて任意の位置に簡単に取着することができる。
【００３６】
一方、係合部３とは反対側の固定部４においては補助具本体２の端部を折曲部１８において前記上部片７及び下部片９とは反対側に折曲し、図２（ｂ）において示せば、折曲部１８を中心に反時計方向に約６０度折曲することによって固定片１２を形成している。このように折曲した状態においては、上部片７、下部片９及び固定片１２はいずれも基礎床面４１に対して平行状態にある。前記固定片１２の略中央部には固定ねじ１４が挿通する固定孔１３が設けられており、この固定孔１３に前記固定ねじ１４を挿通し、基礎床面４１に螺着することにより、補助具１はボルト体２１の垂設位置から離間して前記基礎床面４１に固定される。
【００３７】
ここで、前記上部片７、下部片９及び固定片１２は約６０度折曲しているが、この角度に限られないことは言うまでもない。但し、折曲角度が大きくなるに従って補助具本体２の傾斜角度が急となり、垂直状態に近づいてボルト体２１の支持効果が小さくなる。また、折曲角度が小さ過ぎると補助具１が著しく長いものとなるので、支持効果、補助具１の長さ等を考慮して最適角度に設定することが望ましい。
【００３８】
なお、折曲部１５及び折曲部１８においては、それぞれ角孔１９、角孔２０が形成されている。これは金属板のプレス加工において、折曲し易くするために設けたものである。また、高さ調整の際、折曲角度を微調整するのを可能とし、常に固定片１２を基礎床面４１に面接せしめるのを比較的容易とするためである。但し、簡単に折曲してしまうようでは、補助具１の形状安定性が損なわれ、安定した垂設状態に維持するのが困難となるから、角孔の形成には注意を要する。したがって、角孔の形成はその点を考慮して形成すべきであり、設けないことも考えられる。
【００３９】
次に、水栓配管における基礎床面４１に垂設され、前記補助具１が取着されるボルト体２１は、図３及び図４に示すように、従来例と同様に、固定ねじ２２を介して基礎床面４１に矩形板状の金属板からなる固定座金２３が固定され、この固定座金２３に溶接されたウェルドナット２４に一端部が螺着されることによって基礎床面４１上に垂設されるようになっている。本実施形態においては、固定座金２３には２個のボルト体２１が所定間隔で並設されている。なお、前記ボルト体２１はその全長に至って雄ねじが螺刻されたものを示しているが、ナット等との螺着に必要とする部分のみ雄ねじが螺刻されたものにも同様に適用される。
【００４０】
前記固定座金２３は矩形板状に形成され、２個のボルト体２１が取付けられているので、ボルト体２１は固定座金２３の長手方向に作用する外力に対してはかなり安定した状態に保持されるが、これと直交する方向の外力が加わったときは、下端の基礎床面４１への固定箇所を支点として傾動し易く、倒れ易い構造となっている。したがって、補助具１は矩形板状の固定座金２３の長手方向と直交する方向に設置するのが望ましい。
【００４１】
次に、前記ボルト体２１に取着される支持具３１について説明する。図３及び図４に示すように、従来例と同様に、基礎床面４１上の配管が仕上床４２上に立上げる箇所において、内部を図示しない流体管が挿通する鞘管４３と前記仕上床４２上の直管４４とが水栓継手４５を介して接続されており、前記水栓継手４５は前記支持具３１及びボルト体２１によって基礎床面４１から所定高さに支持されている。この支持具３１の支持具本体３２は内部に継手収納空間を有する筒状に形成され、外周面及び内周面にはそれぞれ雄ねじ部及び雌ねじ部が形成されている。更に、前記支持具本体３２の内部には筒状に形成された調整スリーブ３３が収納されており、その外周面に設けられた雄ねじ部が前記支持具本体３２の内周面の雌ねじ部に螺合して該支持具本体３２に対して上下動できるようになっている。前記調整スリーブ３３は内部に前記水栓継手４５を挿入でき、上端において前記水栓継手４５に設けられた鍔４５ａを支持し得るようになっている。
【００４２】
また、前記支持具本体３２の雄ねじ部には内周面に雌ねじを有する固定リング３４が螺着される。更に、前記固定リング３４には水栓継手４５の接続口４５ｂを臨ませる開口が形成されているとともに、前記開口の周縁の裏面に水栓継手４５の鍔４５ａが当接し、前記水栓継手４５が上方に抜止めされた状態に固定されるようになっている。
【００４３】
前記支持具３１の中間部には両側に水平方向に突出する鍔部３５が設けられ、この鍔部３５における前記２個のボルト体２１と対応する位置に該ボルト体２１が挿通する挿通孔３６が形成されている。支持具３１は鍔部３５の挿通孔３６にボルト体２１を挿通し、その上下をナット２５で締付けることによって基礎床面４１から所定高さに支持されるようになっている。また、前記支持具本体３２の下端部には止め具３７が取付けられるようになっており、前記止め具３７に設けられた係止爪を用いて鞘管４３が接続されるようになっている。なお、この後、仕上床４２の床貼りが行なわれ、更に、水栓継手４５の接続口４５ｂにはこれに立上がる直管４４が接続される。
【００４４】
次に、このように構成された支持具３１が取着されたボルト体２１の中間部に補助具１を取着する方法について図５に基づいて説明する。本実施形態の補助具１はボルト体２１の上部に支持具３１が取付けられる前に取着することもでき、また、支持具３１が取付けられた状態で取着することもできる。
【００４５】
そこで、予め支持具３１がボルト体２１に取着された状態で補助具１を取着する方法を説明する。まず、図５（ａ）に示すように、補助具１の補助具本体２を水平姿勢に保持したままボルト体２１の軸に直交する方向から前記切欠開口５を移動させてボルト体２１に近接する。ここで、上部片７と下部片９との間隔はボルト体２１の軸径よりかなり大きく形成されている。したがって、更に補助具１を移動させたとき、図５（ｂ）に示すように、補助具本体２が水平姿勢で、ボルト体２１は、上部片７及び下部片９が多少傾斜していても、前記上部片７と下部片９との間を通過させることができる。
【００４６】
次に、このように移動してボルト体２１が係合空間６内に収容されたら、図５（ｂ）に示すように、そのまま補助具１の全体を下方に回動して、固定部４側をボルト体２１に近接させる。そして、前記上部片７及び下部片９が、図５（ｃ）に示すように、平行状態に達すると、図６に示すように、上部片７の端面７ａ、下部片９の端面９ａ及び連結片１１の端面１１ａがそれぞれ当接点７ｂ、当接点９ｂ及び当接点１１ｂにおいて異なる方向からボルト体２１の外周面に当接し、それ以上の回動が停止する。これにより、補助具１は係合空間６がボルト体２１と係合し、取着される。なお、このように係合した状態においては、補助具１はその自重によって上部片７の当接点７ｂを軸として固定部４側が更にボルト体２１に近接する方向、図２（ｂ）で示せば、時計回り方向のモーメントによって、係合部３の各片が当接点においてボルト体２１の外周面に押圧され、その押圧力による摺動抵抗によって一定高さに保持され得る。その後、固定部４における固定孔１３に固定ねじ１４を挿通し、基礎床面４１に螺着することにより、図８に示す状態に固定される。
【００４７】
なお、このように補助具１が取着された状態においては、補助具本体２は固定部４を介して基礎床面４１に一定角度に傾斜した状態で固定され、補助具１とボルト体２１と基礎床面４１とによって三角構造が形成される。
【００４８】
次に、補助具１の作用について説明する。
まず、切欠開口５が形成されているから、支持具３１が上部に取着された状態で、任意高さにおける側方から前記切欠開口５を移動させてボルト体２１を係合空間６内に挿入せしめることができる。このため、配管工事において補助具１を取着する際には、従来の補助具では、挿通孔をボルト体２１の頂部に外嵌した後、補助具全体を所定高さまで降下させることが必要であったのに対し、本実施形態の補助具１は所定高さにおける側方からそのまま取着することができる。また、配管工事後においても、支持具３１の鍔部３５の挿通孔３６の上下のナット２５を回しながら上方に取外すことなく、そして、既に取着されている支持具３１の鍔部３５をボルト体２１の上方に取外すことなく、直ちに係合部３をボルト体２１に係合させて補助具１を取着することができる。
【００４９】
次に、補助具１の上部片７は補助具本体２の一端部が折曲部１７で約６０度折曲されて、平面がボルト体２１の軸に対して直交する状態で係合し、取着される。このため、取着時に、その上部においてボルト体２１に取着されている支持具３１の鍔部３５と干渉するのが回避され、補助具１の上部片７を前記支持具３１の鍔部３５に極く近接させた位置で取着できる。その結果、基礎床面４１からより高い位置でボルト体２１に係合させることができるから、前記ボルト体２１の垂設状態の維持を補助する効果を高めることができる。
【００５０】
また、前述のように、補助具１の上部片７は補助具本体２の一端部が折曲部で約６０度折曲され、平面がボルト体２１の軸に対して直交する状態で係合するから、つまりは、端面７ａが、図７（ａ）に示すように、ボルト体２１の外周面に平行する面接状態で係合することとなり、同様に、下部片９の端面９ａ及び連結片１１の端面１１ａも前記ボルト体２１の外周面に面接状態で係合する。そして、補助具１は金属製板材からなり、その板厚ｔは、ボルト体２１のねじピッチｐより大きい。その結果、図７（ｂ）に示すように、各片の端縁部ｃがボルト体２１のねじ凹部２１ａ内に食い込むことがなく、各片はボルト体２１の外周面に沿って円滑に上下動し、任意の高さに取着することができる。
【００５１】
なお、図７（ｂ）のように係合する場合には、円滑にボルト体２１の外周面に沿って軸方向に摺動させることができないことがあり、無理に移動させれば、ねじ山を潰すことにもなりかねない。また、補助具１で補助している間に、係合部分に外部から無理な力が加わって同様にねじ山を潰すおそれがある。但し、必ずしも、図７（ｂ）のように係合するのを妨げるものではない。
【００５２】
ここで、ボルト体２１に沿った補助具１の自由な移動については、補助具本体２の固定部４側を上方に僅かに回動すれば、各片の端面がボルト体２１から離間し、該ボルト体２１との当接、係合が解除されるので、これによって自由に移動させることもでき、取着高さを調整することができる。
【００５３】
更に、上部片７、下部片９及び連結片１１はボルト体２１の軸方向に投影すると、前記ボルト体２１の全周を囲むように形成されており、前記ボルト体２１を内部に配置した状態で、前記補助具本体２を下方に回動して前記他端側を前記ボルト体２１に近接させるだけで、前記各片が端面において互いに異なる方向から前記ボルト体２１の外周面に当接して係合し、いずれの方向に対する傾動、振れも阻止し、がたつきも防止するから、上下にナットを用いることなく取着できる。その結果、補助具１の上下へのナットの取付作業が省かれ、補助具１のボルト体２１への取着が一層容易となる。
【００５４】
そして、このように補助具１が取着されることによって、ボルト体２１は基礎床面４１に常に一定の垂設状態に保持される。その結果、補助具１の上下にナットを取付けなくても、水平方向の外力が支持具３１等を介して加わることによってボルト体２１が大きく傾動するのを防いで配管部材の損傷を防止できるのは勿論、上部の水平方向の振れが僅かであっても、外力や振動が繰返し作用することによって固定ねじ２２が緩み、固定座金２３にがたつきを生じて支持体３１の支持が不安定となるのを防止することができる。
【００５５】
加えて、係合部３は異なる平面に形成された上部片７及び下部片９が並置された構造となっているから、１枚の金属板に単に切欠を形成した構造と比較すると、剛性が大きく、変形しにくい構造となっている。
【００５６】
ところで、上記実施形態においては、係合部３を構成する上部片７、下部片９及び連結片１１は、図１及び図２に示した形状に形成され、図６に示した３箇所の当接点においてボルト体２１の外周面に異なる方向から当接し、係合しているが、本発明を実施する場合には、この形状等に限られるものではなく、例えば、図９（ａ）に示したように、ボルト体２１からの離脱を防止する離脱防止片は上部片７及び下部片９のいずれか一方に設けてもよく、図９（ａ）では下部片９側のみに設けている。
【００５７】
また、図９（ｂ）に示したように、連結片１１の端面１１ａを補助具本体２の長手方向に直線状に形成したものとしてもよい。或いは、４箇所以上で当接するものとしてもよく、更には、連続的に当接するものとしてもよい。要するに、外周面に異なる方向から当接してボルト体２１がいずれの方向においても傾動し、振れるのを規制でき、離脱を防止できれば、いかなる形態に形成してもよい。
【００５８】
そして、上記実施形態において、図２（ｂ）等に示したように、上部片７はその平面がボルト体２１の軸に直交する状態で係合し、また、前記上部片７と下部片９とはそれぞれの平面が平行する状態で上下に並置するよう設けられているが、必ずしもこれに限定されるものではない。
【００５９】
更に、図示しないが、補助具本体２に長手方向等にリブを形成し、これにより、補助具１全体の剛性を更に高めるようにしてもよい。また、上記実施形態の補助具１は、１枚の金属製板材で形成しているが、必ずしもこれに限られるものではなく、複数部材で形成するのを妨げるものでもない。
【００６０】
また、上記実施形態では、１個のボルト体２１に対して、１個の補助具１を取付けたものを示しているが、取着高さを相互にずらして反対側などからも補助具１を追加して取付けることも可能である。
【００６１】
加えて、上記実施形態において、補助具１は、水栓配管において水栓継手４５を支持する支持具３１を取着すべく基礎床面１に垂設されたボルト体２１に取着するものを示しているが、床下に配線空間を形成する配線用床材や仕上床等を支持する支持具を基礎床面４１に垂設したボルト体２１に取着する場合にも同様に適用できる。また、基礎床面４１ではなく、二重天井の建物構造面に垂直下方に吊設されたボルト体などにも同様に適用することができる。
【図面の簡単な説明】
【００６２】
【図１】本発明の実施形態におけるボルト体の垂設補助具を示す斜視図である。
【図２】図１の補助具を示し、(a)は平面図、(b)は正面図、(c)は側面図である。
【図３】図１の補助具が用いられるボルト体及び水栓継手の支持具を示す分解斜視図である。
【図４】図３のボルト体に取着された水栓継手の支持具の断面図である。
【図５】図１の補助具をボルト体に取着する方法を示し、(a)は補助具をボルト体に近接させる状態、(b)は補助具の切欠開口にボルト体が挿入された状態、(c)はボルト体に補助具が係合した状態を示す。
【図６】図１の補助具の係合部にボルト体が係合した状態を示す要部平面図である。
【図７】(a)は図１の補助具の係合部の端面がボルト体の外周面と当接した状態を示す断面図、(b)は他の当接状態を参考として示す断面図である。
【図８】ボルト体に取着した図１の補助具を示す正面図である。
【図９】(a)は本発明の別の補助具を示す要部平面図、(b)は本発明の更に別の補助具を示す要部平面図である。
【図１０】従来の垂設補助具をボルト体に取着した状態を示す正面図である。
【図１１】水栓継手の支持具、ボルト体及び従来の垂設補助具を示す分解斜視図である。
【符号の説明】
【００６３】
１    補助具
２    補助具本体
３    係合部
４    固定部
５    切欠開口
６    係合空間
７    上部片
７ａ、９ａ、１１ａ  端面
７ｂ、９ｂ、１１ｂ  当接点
８、１０  離脱防止片
９    下部片
１１    連結片
１２    固定片
１３    固定孔
２１    ボルト体
３１    支持具
４１    基礎床面
４５    水栓継手
【図１】
0004612490.tif 000002
【図２】
0004612490.tif 000003
【図３】
0004612490.tif 000004
【図４】
0004612490.tif 000005
【図５】
0004612490.tif 000006
【図６】
0004612490.tif 000007
【図７】
0004612490.tif 000008
【図８】
0004612490.tif 000009
【図９】
0004612490.tif 000010
【図１０】
0004612490.tif 000011
【図１１】
0004612490.tif 000012